(57)【要約】      （修正有）【課題】風船の内部に各種メッセージを封入することで、このメッセージに注意を惹きつけることができるメッセージ用フィルム風船を提供する。【解決手段】重なり合ったフィルムの周縁部が溶着されて全体又は一部が透明な風船１を形成する。風船１の内部に表示体Ｐを封入する。風船１は、風船１内部に気体を封入せしめる扁平な逆支弁４を有する。風船１に表示体Ｐを収納せしめる開口部を形成する。開口部から風船１内部に収納したカード状の表示体Ｐを風船１内部に吊下げる吊り具５を備える。開口部の封着部分に吊り具５を一体に接合する。風船１の内部に、軽量部材で形成された装飾材Ｑを表示体Ｐと共に収納する。【選択図】図１
0003161473.tif 000002
【実用新案登録請求の範囲】
【請求項１】
重なり合ったフィルムの周縁部が溶着されて全体又は一部が透明な風船が形成されるフィルム風船において、メッセージを表示する表示体が風船の内部に封入されたことを特徴とするメッセージ用フィルム風船。
【請求項２】
前記風船は、風船内部に気体を封入せしめる扁平な逆支弁と、表示体を収納せしめる開口部と、該開口部から風船内部に収納したカード状の表示体を風船内部に吊下げる吊り具とを備え、該吊り具は、開口部の封着部分に一体に接合され、前記表示体はカード状に形成された請求項１記載のメッセージ用フィルム風船。
【請求項３】
前記風船の内部に、前記表示体が前記吊り具で吊下げられると共に、軽量部材で形成された装飾材が収納された請求項２記載のメッセージ用フィルム風船。
【考案の詳細な説明】
【技術分野】
【０００１】
本考案は、ギフト用、広告用などとして使用するメッセージ用フィルム風船に係り、特に、風船をメッセージ用のツールとして利用することができるメッセージ用フィルム風船に関するものである。
【背景技術】
【０００２】
フィルム製の風船において、外側風船内に内側風船を収納し、この外側風船のフィルムに挟まれて内側風船に通じる通気路が形成され、外側風船の内部で内側風船を膨らませるフィルム風船が特許文献１に記載されている。このフィルム風船によると、内側風船に気体を封入する第２の逆止弁を、外側風船のフィルム間に挟まれた状態で外側風船の内部に挿入配置し、且つ内側風船のフィルム間に挟まれた状態で内側風船の内部に挿入配置するようにしたものである。
【０００３】
また、昔から、風船の表面に宣伝・広告等を印刷し、風船を広告媒体として使用することも知られている。
【先行技術文献】
【特許文献】
【０００４】
【特許文献１】特開２００３‐１６９９６８号公報
【考案の概要】
【考案が解決しようとする課題】
【０００５】
ところが特許文献１の風船フィルムは、外側風船の内部で内側風船を膨らませる二重構造の風船であるから、風船の内部に内側風船を配置する工程が、通常の風船に比べて極めて難しくなる課題があった。しかも、風船の内部に配置できるのは内側風船に限られるものである。
【０００６】
一方、表面に宣伝・広告を印刷して広告媒体として使用する従来の風船は、既に広告媒体としてあまりにも一般的になりすぎてしまい、注意を惹きつけ難くなっている。
【０００７】
当考案者は、特許文献１に記載されている二重風船に限らず、風船の内部に収納された各種装飾物は注意を惹きつけ易くなることに着目し、上述の課題を解消すべく案出されたもので、風船の内部に各種メッセージを封入することで、このメッセージに注意を惹きつけることができるメッセージ用フィルム風船の提供を目的とするものである。
【課題を解決するための手段】
【０００８】
上述の目的を達成すべく本考案の第１の手段は、重なり合ったフィルム２の周縁部が溶着されて全体又は一部が透明な風船１が形成されるフィルム風船において、風船１の内部に表示体Ｐを封入したことにある。
【０００９】
第２の手段において、前記風船１は、風船１内部に気体を封入せしめる扁平な逆支弁４と、表示体Ｐを収納せしめる開口部３と、該開口部３から風船１内部に収納した表示体Ｐを風船１内部に吊下げる吊り具５とを備え、該吊り具５は、開口部３の封着部分に一体に接合され、前記表示体Ｐはカード状に形成されたたものとする。
【００１０】
第３の手段は、前記風船１の内部に、前記表示体Ｐが前記吊り具５で吊下げられると共に、軽量部材で形成された装飾材Ｑが収納されたことを課題解消のための手段とする。
【考案の効果】
【００１１】
本考案の請求項１の如く、重なり合ったフィルム２にて形成される全体又は一部が透明な風船１内部に任意形状の表示体Ｐを封入することで、メッセージに注意を惹きつけることができる。しかも、表示体Ｐに表示されたメッセージは、風船１により、あたかも保護されたかのような状態になるため、表面に印刷されている従来の風船と比較して、より印象深いメッセージにすることが可能である。この結果、例えば、母の日等の感謝のメッセージなどを表示するのに好適な風船となる。
【００１２】
請求項２の如く、風船１は、風船１内部に気体を封入せしめる扁平な逆支弁４と、表示体Ｐを収納せしめる開口部３と、該開口部３から風船１内部に収納した表示体Ｐを風船１内部に吊下げる吊り具５とを備え、該吊り具５は、開口部３の封着部分に一体に接合されたものとしたことで、風船１内に表示体Ｐを収納してから開口部３を封着する構成であるから、表示体Ｐの封入作業が容易である。したがって、従来の二重風船のような面倒な作業は要せず、表示体Ｐを風船１に封入することができる。しかも、表示体Ｐはカード状に形成したことで、この表示体Ｐに表示したメッセージ性が強まることから、表示体Ｐを宣伝・広告用に利用することも可能になり、印象的で人目を惹く宣伝効果が期待できる。
【００１３】
請求項３の如く、カード状の表示体Ｐと共に、軽量部材で形成された装飾材Ｑを風船１に封入することで、表示体Ｐを引き立てる効果的な装飾が可能になり、バリエーションに富んだ提供が可能になる。
【図面の簡単な説明】
【００１４】
【図１】本考案の一実施例を示す正面図である。
【図２】本考案の一実施例を示す分解斜視図である。
【図３】本考案の気体封入前の状態を示す斜視図である。
【考案を実施するための形態】
【００１５】
このように本考案によると、風船の内部に各種メッセージを表示した表示体Ｐを封入することで、このメッセージに注意を惹きつけることができるなどといった目的を実現した。
【実施例】
【００１６】
以下、本考案の一実施例を説明する。本考案の風船１は、重なり合ったフィルム２の周縁部が溶着され、内部の表示体Ｐのメッセージが見通せるように、全体又は一部が透明なフィルム風船を使用する（図１参照）。
【００１７】
この風船１は、風船１内部に気体を封入せしめる扁平な逆支弁４と、表示体Ｐを収納せしめる開口部３とを備えている（図２参照）。この開口部３から後述する表示体Ｐを風船１内部に収納し、開口部３を封着してから逆支弁４にて風船１内部に気体を封入する（図３参照）。風船１に封入する気体は風船１を浮揚せしめるものが好ましいが、風船１を口で膨らませることも可能である。
【００１８】
表示体Ｐは、風船１内部に収納するもので、紙、プラスチック、各種天然素材等で形成され、任意のメッセージが表示されたものである（図１参照）。この表示体Ｐは吊り具５に連結されており、この吊り具５により、風船１内部に懸吊されるものである。表示体Ｐの形状は図示例の如きカード形状に形成することで、特にメッセージ性を強化することができる。表示体Ｐの形状は、このほか、円筒状や多角面状等のブロック形状にするなど、表示体Ｐのデザインの変更は任意である。また、表示体Ｐと吊り具５とをと一体化することも可能である。
【００１９】
吊り具５は、フィルム２と同様の性質を有する合成樹脂材にて、テープ状、シート状、フィルム状、ひも状、鎖形状など、表示体Ｐを吊下げることが可能な任意の形状を成す。そして、吊り具５に連結された表示体Ｐは、封着前の開口部３から風船１内部に収納され開口部３を封着する際に、この吊り具５も開口部３に一体に溶着されるものである（図３参照）。開口部３に吊り具５が溶着されると、吊り具５に連結した表示体Ｐは、風船１内部に吊下げられた状態になる（図１参照）。また、吊り具５と表示体Ｐとを合成樹脂材にて一体形成し、この吊り具５を表示体Ｐとして利用することも可能である（図示せず）。
【００２０】
逆支弁４は、風船１内部に気体を封入せしめる扁平な部材で、風船１形成時にフィルム２と同時に溶着されるものである（図３参照）。図示例の逆支弁４は、開口部３の位置と対向する位置に設けられている。そして、この逆支弁４に紐６や錘７などを連結することで、浮遊する風船１の開口部３の位置から吊下げた表示体Ｐが風船１の中央に位置するように構成している。また、口で膨らませた風船１を支持する場合、紐６や錘７に替えて棒状の支持具（図示せず）を連結することができる。
【００２１】
図中、符号Ｑは軽量部材で形成された装飾材である（図１参照）。この装飾材Ｑは、表示体Ｐと共に風船１の内部に収納され、風船１の装飾効果を高めるものである。図示例の装飾材Ｑは、鳥の羽状を成しているが、この装飾材Ｑは、風船１に封入可能な軽量材であれば、どのような材質であっても良い。
【００２２】
尚、本考案は、図示例に限定されるものではなく、本考案の各構成は本考案の要旨を変更しない範囲において自由に変更できるものである。
【産業上の利用可能性】
【００２３】
本考案によると、例えば、誕生日や母の日等の記念日に送る贈答用として使用することができる。また、表示体Ｐに各種の宣伝・広告を表示することで、広告媒体としての利用も可能である。
【符号の説明】
【００２４】
Ｐ  表示体
１  風船
２  フィルム
３  開口部
４  逆支弁
５  吊り具
６  紐
７  錘
【図１】
0003161473.tif 000003
【図２】
0003161473.tif 000004
【図３】
0003161473.tif 000005